【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
単一の電子支払取引のそれぞれの支払分配金、および／または複数被支払人小切手支払のそれぞれの支払分配金を複数の被支払人に電子的に支払うことを容易にするコンピュータにより実行される方法であって、
支払人の支払情報、および／または支払人の小切手情報を受領するステップを含む、複数被支払人支払および／または複数被支払人小切手の取扱および手形交換処理を開始するステップと、
複数の被支払人の身分証明を受領するステップと、
それぞれの被支払人に支払われることになるそれぞれの支払分配金を指定するステップと、
支払人のアカウントに一時停止を設定するステップおよび／またはＡＴＭを介して複数被支払人小切手の預金を受け入れるステップと、
資金が利用可能であることをそれぞれの被支払人にアラートするステップと、
被支払人電子小切手の署名を可能にするステップであって、該被支払人電子小切手の署名を可能にするステップは、インターフェースを介して、それぞれの被支払人に前記複数被支払人小切手の小切手画像に署名するように促すステップを含み、それによってそれぞれの被支払人は個々の署名を前記小切手画像の裏側に添える、ステップと、
電子的な被支払人の署名および身元の確認を受領するステップおよびそれぞれの被支払人に関する署名ファイルを前記支払人に提供するステップと、
前記それぞれの被支払人による前記それぞれの支払分配金だけ前記支払人のアカウントから引き落とすステップと、
支払ネットワークを通じて前記それぞれの支払分配金を前記それぞれの被支払人に支出するステップと
を含む、方法。
【請求項２】
前記指定された支払分配金をそれぞれの被支払人に配分するステップをさらに含む、請求項１に記載の方法。
【請求項３】
前記複数の被支払人の１人または複数が、それぞれの被支払人に支払われることになる、前記被支払人によって同意された支払分配金を指定することを可能にするステップ、および前記支払分配金が前記支払人によって指定されないとき、指定され同意された前記支払分配金に従って、支払をそれぞれの被支払人にリダイレクトするステップをさらに含む、請求項１に記載の方法。
【請求項４】
前記支払人のアカウントに一時停止を設定するステップは、前記支払人の支払／銀行取引ネットワークを通じて、すべての被支払人への全支払の金額でアカウント資金の一時停止を設定するステップを含み、前記支払人のアカウントから引き落とすステップは、それぞれの被支払人に支出されることになる前記支払分配金に基づく割当で前記支払人のアカウントから引き落とすステップを含む、請求項１に記載の方法。
【請求項５】
前記支払人の資金は引き落とされ、一時的な取引アカウントを使用して、入金が行われる、請求項４に記載の方法。
【請求項６】
それぞれの被支払人にアラートするステップは、通信ネットワークを介して、支払ができることを前記それぞれの被支払人に一斉に通知するステップ、および前記被支払人の資金の収集をどのように進めるかに関する指示をそれぞれの被支払人に提供するステップを含む、請求項１に記載の方法。
【請求項７】
支払ができることを前記それぞれの被支払人に一斉に通知するステップは、電子メール、ＳＭＳテキスト、通話、および被支払人の支払プラットフォームとの統合の少なくとも１つによって、メッセージを前記それぞれの被支払人に送るステップを含む、請求項６に記載の方法。
【請求項８】
それぞれの被支払人の署名のある前記小切手画像のコピーをすべての被支払人に見えるようにするステップをさらに含む、請求項１に記載の方法。
【請求項９】
すべての被支払人が前記小切手画像に署名した後で、手形交換のために、前記小切手画像を前記支払人の銀行に転送するステップをさらに含む、請求項１に記載の方法。
【請求項１０】
署名フォームおよび／または支払リダイレクション認可フォームを前記それぞれの被支払人に提供するステップ、ならびに前記支払人と前記それぞれの被支払人との間の前記署名フォームおよび／または支払リダイレクション認可フォームを含む文書の交換を可能にするステップをさらに含む、請求項１に記載の方法。
【請求項１１】
前記それぞれの被支払人による前記それぞれの支払分配金だけ前記支払人のアカウントから引き落とすステップは、それぞれの被支払人に関するすべての署名および身元の確認を受領した後、前記支払人のアカウントの前記一時停止を解除するステップ、ならびに前記一時停止が解除された後、前記支払人のアカウントから引き落とすステップを含む、請求項１に記載の方法。
【請求項１２】
前記支払人の資金は、自動決済機関、または支払システムもしくはネットワークを通じて引き落とされる、請求項１１に記載の方法。
【請求項１３】
前記それぞれの支払分配金を前記それぞれの被支払人に支出するステップは、前記被支払人の少なくとも１つとのワークフロー協定に従って前記それぞれの支払分配金を支出するステップを含む、請求項１に記載の方法。
【請求項１４】
支払人および被支払人の身元、アドレス、ならびに銀行アカウント情報および前記署名ファイルをデータベースに格納するステップをさらに含む、請求項１に記載の方法。
【請求項１５】
前記支払人は保険業者であり、前記被支払人は、銀行／抵当債権者／留置権者、保険証券所有者／請求者、および保険金の清算に関する任意の他の追加のステークホルダのいずれか１つである、請求項１４に記載の方法。
【請求項１６】
前記データベースを前記保険業者のデータベースと同期させるステップをさらに含む、請求項１５に記載の方法。
【請求項１７】
単一の電子支払取引のそれぞれの支払分配金、および／または複数被支払人小切手支払のそれぞれの支払分配金を複数の被支払人に電子的に支払うことを容易にするためのシステムであって、
支払人および被支払人の身元、アドレス、および銀行アカウント情報を格納するデータベースと、
命令を実行し、支払人およびそれぞれの被支払人に出力を通信するプロセッサと、
前記プロセッサによって実行されると、
支払人の支払情報、および／または支払人の小切手情報を受領することを含む、複数被支払人支払および／または複数被支払人小切手の取扱および手形交換処理を開始すること、
複数の被支払人の身分証明を受領することと、
それぞれの被支払人に支払われることになるそれぞれの支払分配金を指定すること、
支払人のアカウントに一時停止を設定すること、および／またはＡＴＭを介して複数被支払人小切手の預金を受け入れること、
資金が利用可能であることをそれぞれの被支払人にアラートすること、
インターフェースを介して、それぞれの被支払人に前記複数被支払人小切手の小切手画像に署名するように促すことによって、被支払人電子小切手の署名を可能にすること、
電子的な被支払人の署名および身元の確認を受領することならびにそれぞれの被支払人に関する署名ファイルを前記支払人に提供すること、
前記それぞれの被支払人による前記それぞれの支払分配金だけ前記支払人のアカウントから引き落とすこと、ならびに
支払ネットワークを通じて前記それぞれの支払分配金を前記それぞれの被支払人に支出すること
に関するステップを実施することを前記プロセッサに行わせる命令を格納するメモリと
を備える、システム。
【請求項１８】
前記メモリは、前記プロセッサによって実行されると、前記指定された支払分配金をそれぞれの被支払人に配分することを前記プロセッサに行わせる命令をさらに格納する、請求項１７に記載のシステム。
【請求項１９】
前記メモリは、前記プロセッサによって実行されると、前記複数の被支払人の１人または複数が、それぞれの被支払人に支払われることになる、前記被支払人によって同意された支払分配金を指定することを可能にすること、および前記支払分配金が前記支払人によって指定されないとき、指定され同意された前記支払分配金に従って、支払をそれぞれの被支払人にリダイレクトすることを前記プロセッサに行わせる命令をさらに格納する、請求項１７に記載のシステム。
【請求項２０】
前記支払人のアカウントに一時停止を設定するための前記命令は、前記支払人の支払／銀行取引ネットワークを通じて、すべての被支払人への全支払の金額でアカウント資金の一時停止を設定するための命令を含み、前記支払人のアカウントから引き落とすことは、それぞれの被支払人に支出されることになる前記支払分配金に基づく割当で前記支払人のアカウントから引き落とすことを含む、請求項１７に記載のシステム。
【請求項２１】
前記メモリは、前記プロセッサによって実行されると、前記引き落とすことにおいて、前記支払人の資金が引き落とされ、振込みが行われる一時的な取引アカウントを作成することを前記プロセッサに行わせる命令をさらに格納する、請求項２０に記載のシステム。
【請求項２２】
前記それぞれの被支払人にアラートするための命令は、通信ネットワークを介して、支払ができることを前記それぞれの被支払人に一斉に通知するための命令、および前記被支払人の資金の収集をどのように進めるかに関する指示をそれぞれの被支払人に提供するための命令を含む、請求項１７に記載のシステム。
【請求項２３】
支払ができることを前記それぞれの被支払人に一斉に通知するための前記命令は、電子メール、ＳＭＳテキスト、通話、および被支払人の支払プラットフォームとの統合の少なくとも１つによって、メッセージを前記それぞれの被支払人に送るための命令を含む、請求項２２に記載のシステム。
【請求項２４】
前記メモリは、前記プロセッサによって実行されると、それぞれの被支払人の署名のある前記小切手画像のコピーをすべての被支払人に見えるようにすることを前記プロセッサに行わせる命令をさらに格納する、請求項１７に記載のシステム。
【請求項２５】
前記メモリは、前記プロセッサによって実行されると、すべての被支払人が前記小切手画像に署名した後で、手形交換のために、前記小切手画像を前記支払人の銀行に転送することを前記プロセッサに行わせる命令をさらに格納する、請求項１７に記載のシステム。
【請求項２６】
前記メモリは、前記プロセッサによって実行されると、署名フォームおよび／または支払リダイレクション認可フォームを前記それぞれの被支払人に提供すること、および前記支払人と前記それぞれの被支払人との間の前記署名フォームおよび／または支払リダイレクション認可フォームを含む文書の交換を可能にすることを前記プロセッサに行わせる命令をさらに格納する、請求項１７に記載のシステム。
【請求項２７】
前記それぞれの被支払人による前記それぞれの支払分配金だけ前記支払人のアカウントから引き落とすための命令は、それぞれの被支払人に関するすべての署名および身元の確認を受領した後、前記支払人のアカウントの前記一時停止を解除すること、ならびに前記一時停止が解除された後、前記支払人のアカウントから引き落とすことを含む、請求項１７に記載のシステム。
【請求項２８】
自動決済機関、支払システム、前記支払人の資金が引き落とされるネットワークをさらに含む、請求項２７に記載のシステム。
【請求項２９】
前記メモリは、前記プロセッサによって実行されると、前記それぞれの被支払人への前記それぞれの支払分配金の支出を制御する、前記被支払人の少なくとも１人とのワークフロー協定を実装することを前記プロセッサに行わせる命令をさらに格納する、請求項１７に記載のシステム。
【請求項３０】
前記署名ファイルは前記データベースに格納される、請求項１７に記載のシステム。
【請求項３１】
前記支払人は保険業者であり、前記被支払人は、銀行／抵当債権者／留置権者、保険証券所有者／請求者、および保険金の清算に関する任意の他の追加のステークホルダのいずれか１つであり、前記データベースは前記保険業者のデータベースと同期される、請求項３０に記載のシステム。
【請求項３２】
プロセッサによって実行されると、
支払人の支払情報、および／または前記支払人の小切手情報を受領することを含む、複数被支払人支払および／または複数被支払人小切手の取扱および手形交換処理を開始することと、
複数の被支払人の身分証明を受領することと、
それぞれの被支払人に支払われることになるそれぞれの支払分配金を指定することと、
支払人のアカウントに一時停止を設定することおよび／またはＡＴＭを介して複数被支払人小切手の預金を受け入れることと、
資金が利用可能であることをそれぞれの被支払人にアラートすることと、
インターフェースを介して、それぞれの被支払人に前記複数被支払人小切手の小切手画像に署名するように促すことによって、被支払人電子小切手の署名を可能にし、それによってそれぞれの被支払人は個々の署名を前記小切手画像の裏側に添えることと、
電子的な被支払人の署名および身元の確認を受領することならびにそれぞれの被支払人に関する署名ファイルを前記支払人に提供することと、
前記それぞれの被支払人による前記それぞれの支払分配金だけ前記支払人のアカウントから引き落とすことと、
支払ネットワークを通じて前記それぞれの支払分配金を前記それぞれの被支払人に支出することと
に関するステップを実施することによって、単一の電子支払取引のそれぞれの支払分配金、および／または複数被支払人小切手支払のそれぞれの支払分配金を複数の被支払人に電子的に支払うことを容易にすることを、前記プロセッサに行わせる命令を格納する、非一時的コンピュータ可読媒体。
【請求項３３】
複数の被支払人の身分証明を受領するステップは、支払人の小切手をスキャンするステップ、および光学式文字認識を使用して前記被支払人の姓名を含む情報を抽出するステップを含む、請求項１に記載の方法。
【請求項３４】
支払人の小切手をスキャンし、前記被支払人の姓名を含む情報を抽出する光学式文字認識デバイスをさらに備える、請求項１７に記載のシステム。